(57)【特許請求の範囲】
【請求項１】
ピッチ波形が圧縮符号化された音源信号とフィルタ係数との組からなる音声素片群よりなる辞書から合成すべき音声の元となる音声素片を選択するステップと、
選択された音声素片の音源信号とフィルタ係数とを復号化し、該音源信号は前記合成すべき音声のピッチ周期に応じて長さが調整され、長さが調整された音源信号を復号化されたフィルタ係数をもとにフィルタリングしてピッチ波形を生成するステップと、
生成されたピッチ波形を前記ピッチ周期の間隔で時間軸方向に並べて重畳することにより合成音声を生成するステップと
を有することを特徴とする音声合成方法。
【請求項２】
前記ピッチ波形を生成するステップは、更に端点における不連続性を低減させる処理を行うことを特徴とする請求項１に記載の音声合成方法。
【請求項３】
ピッチ波形が圧縮符号化された音源信号とフィルタ係数との組からなる音声素片群よりなる辞書から合成すべき音声の元となる音声素片を選択する素片選択部と、
選択された音声素片の音源信号とフィルタ係数とを復号化し、該音源信号は前記合成すべき音声のピッチ周期に応じて長さが調整され、長さが調整された音源信号を復号化されたフィルタ係数をもとにフィルタリングし、かつ端点における不連続性を低減させる処理を行うことによりピッチ波形を生成するピッチ波形生成部と、
生成されたピッチ波形を前記ピッチ周期の間隔で時間軸方向に並べて重畳することにより合成音声を生成するピッチ波形重畳部と
を有することを特徴とする音声合成装置。
【請求項４】
コンピュータに音声合成処理を行わせるためのプログラムを記録したコンピュータ読み取り可能な記録媒体であって、
ピッチ波形が圧縮符号化された音源信号とフィルタ係数との組からなる音声素片群よりなる辞書から合成すべき音声の元となる音声素片を選択し、選択された音声素片の音源信号とフィルタ係数とを復号化し、該音源信号は前記合成すべき音声のピッチ周期に応じて長さが調整され、長さが調整された音源信号を復号化されたフィルタ係数をもとにフィルタリングし、かつ端点における不連続性を低減させる処理を行うことによりピッチ波形を生成し、生成されたピッチ波形を前記ピッチ周期の間隔で時間軸方向に並べて重畳することにより合成音声を生成する処理を実行するためのプログラムを記録したコンピュータ読み取り可能な記録媒体。
【発明の詳細な説明】
【０００１】
【発明の属する技術分野】
本発明は、合成すべき音声の元となるピッチ波形をピッチ周期に基づいて重畳することによって合成音声を生成する音声合成方法及び装置に関する。
【０００２】
【従来の技術】
音声合成方式の一つである規則合成方式は、入力された韻律情報から自動的に合成音声を生成する技術であり、具体的には音韻記号列、音韻継続時間長、ピッチパターンおよびパワーなどの韻律情報に従って、素片辞書記憶部に記憶されている代表音声素片を選択し、選択された代表音声素片をピッチや継続時間長によって調節して接続し重畳することにより、合成音声を生成する。ここで、代表音声素片は音声をＣＶ、ＣＶＣ、ＶＣＶ（Ｃは子音、Ｖは母音を表す）などの基本となる細かい単位で素片化したものである。この規則合成方式による音声合成技術は、例えば任意の文字列データ（テキスト）から人工的に音声を生成するテキスト音声合成に用いられる。
【０００３】
このような規則合成方式による音声合成技術では、合成音声の品質を向上させるために、代表音声素片として音声データから切り出したピッチ波形や、それを分析して得られる音源信号と合成フィルタの特性を表す係数の組などが用いられる。また、代表音声素片を多数集めた音声素片辞書の記憶容量を削減するために、音声素片群を圧縮符号化して圧縮音声素片辞書を構成し、音声合成時に符号化された音声素片を復号化して使用する方法が提案されている（例えば、特開平６−１１０４９８）。
【０００４】
この圧縮音声素片辞書を用いた従来の音声合成装置（規則合成系）では、まず入力された韻律情報に従って圧縮音声素片辞書から符号化された代表音声素片が選択される。符号化代表音声素片は、音源信号と合成フィルタのフィルタ係数との組として記憶されている。選択された符号化代表音声素片は、ピッチ波形生成部に入力される。
【０００５】
ピッチ波形生成部では、選択された符号化代表音声素片を構成するフィルタ係数と音源信号が復号化され、復号化されたフィルタ係数に基づいて構成された合成フィルタによって、復号化された音源信号がフィルタリング処理されることにより、ピッチ波形が生成される。このようにして生成されたピッチ波形が韻律情報に基づいて、所望のピッチ周期の間隔や継続時間長となるように波形重畳されることにより、合成音声が生成される。
【０００６】
このような規則合成系の特徴として、ピッチ周期の短い部分ではピッチ波形を狭い間隔で重ね合わせて配置する必要があり、ピッチ波形を数多く生成しなければならない。従って、圧縮符号化された音声素片辞書を用いた規則合成系では、符号化代表音声素片の復号化および合成フィルタでのフィルタリング処理の回数が増加し、それに伴う演算量の増大が問題となってくる。
【０００７】
また、代表音声素片の符号化によりフィルタ係数もしくは音源信号に歪みが生じた場合、ピッチ波形が終端で減衰しきれずに、打ち切られた波形となることがある。このようなピッチ波形を重畳することで生成された合成音声は、波形が不連続となるために雑音感が存在し、品質の悪いものとなる。この合成音声の品質劣化を抑制するためには、生成したピッチ波形の終端が減衰するように元の音源信号の長さよりも長くフィルタリング処理を行う必要があり、さらに演算量が増加することになる。
【０００８】
【発明が解決しようとする課題】
上述したように従来の音声合成技術、特に音声素片辞書の記憶容量を削減するために圧縮符号化された音声素片辞書を用いた規則合成系では、ピッチ周期の短い部分でピッチ波形の重なる度合いが大きくなると、ピッチ波形生成の処理回数が増え、それに伴い音声合成に必要な演算量が非常に多くなってしまいう問題があった。
【０００９】
さらに、音声素片の符号化によるフィルタ係数や音源信号の歪みのために、ピッチ波形が終端で減衰しきれずに打ち切られた波形となることがあり、これによる合成音声の品質劣化を避けるには、ピッチ波形の終端が減衰するまで元の音源信号の長さよりも長くフィルタリング処理を行う必要があるため、さらに演算量が増加してしまうという問題があった。
【００１０】
本発明は、従来の音声合成におけるこのような問題を考慮し、合成音声の品質劣化を抑制し、かつ音声合成時の演算量を減少させることができる音声合成方法及び装置を提供することを目的とする。
【００１１】
【課題を解決するための手段】
上記課題を解決するため、本発明ではまず圧縮符号化された音声素片群よりなる圧縮音声素片辞書から、合成すべき音声の元となる音声素片を選択する。この選択された音声素片を合成すべき音声のピッチ周期に応じた長さだけ復号化することでピッチ波形を生成し、このピッチ波形をピッチ周期の間隔で時間軸方向に並べて重畳することにより合成音声を生成する。
【００１２】
このように圧縮音声素片辞書から選択された音声素片のうち、ピッチ周期に応じて例えば合成音声の音質に影響しない必要な長さだけを復号化してピッチ波形を生成することにより、特にピッチ周期の短い部分でのピッチ波形生成に要する演算量の増加を抑制することが可能となる。
【００１３】
また、本発明では上記と同様にまず圧縮符号化された音声素片群よりなる圧縮音声素片辞書から合成すべき音声の元となる音声素片を選択する。次に、この選択された音声素片を復号化しかつ終端を減衰させて（波形の端点における不連続性を低減させる処理を行って）ピッチ波形を生成し、このピッチ波形をピッチ周期に基づき重畳して合成音声を生成する。
【００１４】
圧縮音声素片辞書の符号化による歪みなどのために、生成したピッチ波形が終端で十分に減衰しないうちに打ち切られた波形に対して、このように波形の終端を減衰させる処理を行うことにより、元の音源信号の長さよりも長くフィルタリング処理を行う従来の方法と比較して、非常に少ない演算量でピッチ波形を重畳する際の波形間の不連続性を低減することができ、重畳後の波形がなめらかで雑音感の少ない合成音声を生成することができる。
【００１５】
さらに、本発明では選択された符号化音声素片を合成すべき音声のピッチ周期に応じた長さだけ復号化することと、波形の終端を減衰させる処理を組み合わせて行うことにより、必要な演算量が少なく、かつより高品質の音声合成が可能となる。
【００１６】
【発明の実施の形態】
以下、図面を参照して本発明の実施の形態を説明する。
まず、図１を用いて本発明が適用されるシステムの一例として、テキスト音声合成方式について述べる。図１に示すように、入力されたテキスト（文字列データ）に対してテキスト解析部１によって解析を行い、この解析結果から韻律制御部２において音声合成に必要な音韻記号列、音韻継続時間長、ピッチパターンおよびパワーなどの韻律情報を求め、これらの韻律情報に基づき音声波形生成部３においてピッチ波形を生成し、その生成したピッチ波形をピッチ周期に基づいて重畳することで合成音声を生成する。
【００１７】
ここで、本発明は音声波形生成部３の構成法に関する。この音声波形生成部３はハードウェアにより構成してもよいが、ソフトウェアにより実現してもよい。ソフトウェアで音声波形生成部３を実現する場合、例えば図２に示すような概略的な流れに従って合成音声を生成する。
【００１８】
まず、圧縮符号化された音声素片群よりなる辞書（圧縮音声素片辞書）から、合成すべき音声の元となる、例えば図１の韻律制御部２からの韻律情報に応じて最適な符号化代表音声素片を選択する（ステップＳ１）。
次に、ステップＳ１で選択された符号化代表音声素片を入力とし、これを合成すべき音声のピッチ周期に応じた長さだけ復号化する（ステップＳ２）。
【００１９】
次に、ステップＳ２の復号化により得られた波形の終端を減衰させて、最終的なピッチ波形を生成する（ステップＳ３）。
最後に、ステップＳ３で生成されたピッチ波形をピッチ周期、さらには合成すべき音声の時間長に基づいて重畳することによって、韻律情報に応じた合成音声を生成する（ステップＳ４）。
【００２０】
ここで、本発明において特徴的な処理はステップＳ２とステップＳ３であり、これらの処理を行うことによって演算量の増大を抑制し、かつ合成音声の品質を大幅に向上させることができる。
【００２１】
次に、図３により本発明の一実施形態に係る音声合成装置について説明する。この音声合成装置は、図１中に示した音声波形生成部３に相当するものであり、音声合成の分野でいわゆる規則合成系と称される部分である。
【００２２】
この規則合成系は、大きく分けて素片選択部１０、複数の符号化代表音声素片（音声素片群）よりなる圧縮音声素片辞書１１、この圧縮音声素片辞書１１から素片選択部１０により選択された符号化代表音声素片を復号化してピッチ波形を生成するピッチ波形生成部１２、ピッチ周期・継続時間長制御部１３及びピッチ周期・時間長制御部１３により制御されてピッチ波形を重畳することで合成音声を生成するピッチ波形重畳部１４から構成されている。
【００２３】
圧縮音声素片辞書１１は、種々の音声データを分析して得られた音源信号と合成フィルタの特性を表すフィルタ係数との組からなる多数の符号化代表音声素片（音声素片群）からなり、メモリに格納されている。音源信号及びフィルタ係数の符号化には、例えばベクトル量子化が用いられる。合成フィルタの特性を表すフィルタ係数は、スペクトラムパラメータ、すなわちケプストラム、ＬＰＣ、ＰＡＲＣＯＲ、ＬＳＰといった係数であり、これらの係数を変換した結果得られる係数を用いることもできる。
【００２４】
ピッチ波形生成部１２は、音源信号復号化部２０、フィルタ係数復号化部２１、音源信号長調整部２２、合成フィルタ２３及び窓掛け処理部２４から構成される。ここで、音源信号長調整部２２と窓掛け処理部２４が追加されている点が従来の規則合成系におけるピッチ波形生成部の構成と異なっている。音源信号長調整部２２及び窓掛け処理部２４については、後に詳しく述べる。
【００２５】
次に、図３の規則合成系の動作を説明する。
まず、例えば図１の韻律制御部２から出力される音韻記号列１００、音韻継続時間長情報１０１、ピッチパターン情報１０２及びパワー情報１０３などの韻律情報に従って、素片選択部１０により圧縮音声素片辞書１１から最適な一組の符号化代表音声素片、つまり符号化音源信号１１０と符号化フィルタ係数１１１の組が選択される。選択された符号化代表音声素片は、ピッチ波形生成部１２に入力される。
【００２６】
また、韻律情報１００〜１０３はピッチ・時間長制御部１３にも入力される。ピッチ・時間長制御部１３は、ピッチ波形を重畳して音声合成を行う際に必要なピッチ周期と合成音声の時間長の制御を行うものであり、ピッチ周期情報１０４をピッチ波形生成部１２に供給し、ピッチ周期・時間長情報１０５を後述するピッチ波形重畳部１４に供給する。
【００２７】
ピッチ波形生成部１２においては、符号化音源信号１１０が音源信号復号化部２０により音源信号１２０が復号化され、さらに符号化フィルタ係数１１１がフィルタ係数復号化部２１により復号化されてフィルタ係数１２１が再生される。合成フィルタの特性を表すフィルタ係数とは、例えばケプストラム、ＬＰＣ、ＰＡＲＣＯＲ、ＬＳＰなどの係数、あるいはこれらの係数を変換したフィルタ係数である。
【００２８】
音源信号復号化部２０から出力される再生された音源信号１２０は、音源信号長調整部２２に入力され、ピッチ周期・時間長制御部１３からのピッチ周期情報１０４に従ってその長さ（音源信号長）が調整される。例えば、音源信号１２０の長さがピッチ周期の２倍より長い場合は、ピッチ周期の２倍の長さとなるように音源信号長が調整される。
【００２９】
ここで、ピッチ周期に対して音源信号長を極端に短くした場合には、スペクトル包絡に歪みを生じ、元のピッチ波形に対して品質が劣化してしまう。このため音源信号調整部２２においては、ピッチ波形生成部１２で最終的に生成されるピッチ波形のスペクトル歪みが許容できる範囲内で、音源信号長を調整する必要がある。
【００３０】
音源信号復号化部２０及び音源信号長調整部２２は、全体として符号化音源信号１１０をピッチ周期に応じた長さだけ復号化していることになる。音源信号復号化部２０と音源信号長調整部２２の位置を入れ替えてもよい。ここでは説明の便宜上、音源信号復号化部２０と音源信号長調整部２２を分けて示しているが、音源信号復号化部が符号化音源信号１１０をピッチ周期に応じた長さだけ復号化する機能を有していてもよい。すなわち、復号化の後に音源信号長の調整を行うのではなく、復号化そのものをピッチ周期に応じた長さだけ行うようにしても一向に構わない。
【００３１】
音源信号長調整部２２から出力される音源信号は、合成フィルタ２３に入力される。合成フィルタ２３には、前述したようにフィルタ係数復号化部２１から出力されるフィルタ係数１２１が与えられている。これにより合成フィルタ２３において、音源信号長調整部２２からの音源信号がフィルタ係数１２１に従った特性でフィルタリング処理されることにより、ピッチ周期に応じた長さのピッチ波形が生成される。
【００３２】
図４に、上述のようにしてピッチ周期に応じて音源信号長を調整し、ピッチ周期に応じた長さのピッチ波形を生成する様子を簡単に示す。この例では、音源信号復号化部２０から出力される音源信号１２０の長さが音源信号調整部２０によりピッチ周期の２倍に調整される。この結果、合成フィルタ２３からピッチ周期の２倍の長さのピッチ波形が出力されることになる。
【００３３】
ここで、フィルタ係数復号化部２１から出力されるフィルタ係数１２１や音源信号復号化部２０から出力される音源信号１２０には、圧縮音声素片辞書１１として格納されている音声素片が符号化されていることに伴う歪みが生じており、加えて本実施形態では音源信号長調整部２２において音源信号１２０の長さが調整されているため、合成フィルタ２３から出力されるピッチ波形が終端で減衰しきれずに打ち切られた形となる場合がある。このように終端部分が打ち切られたピッチ波形をそのまま用いて合成音声を生成すると、合成音声は波形が不連続なものとなり、雑音感の存在する品質の悪いものとなる。
【００３４】
そこで、本実施形態ではこのようにピッチ波形終端の打ち切りを防ぐために、合成フィルタ２３から出力されるピッチ波形は窓掛け処理部２４に入力され、例えば次式（１）（２）で定義されるような窓掛け処理が施されることによって、ピッチ波形の終端が減衰させられる。
【００３５】
【数１】
0003949346.tif 000002
【００３６】
ここで、ＦＬは音源信号長を表す。図５（ａ）に式（１）で定義される窓関数を示し、図５（ｂ）に窓掛け処理によってピッチ波形の終端が減衰する様子を示す。図５（ｂ）に示されるように、窓掛け処理を行う前のピッチ波形（合成フィルタ２３の出力波形）は、比較的振幅の大きいところで終端が打ち切られているが、窓掛け処理を行うことによって終端の波形は徐々に減衰し、最終的に振幅が零となっている。
【００３７】
このようにして窓掛け処理部２４で処理されたピッチ波形１２２は、ピッチ波形重畳部１４に入力される。ピッチ波形重畳部１４では、音韻記号列１００、音韻継続時間長情報１０１、ピッチパターン情報１０２及びパワー情報１０３などの韻律情報に基づいてピッチ・時間長制御部１３より生成されるピッチ周期・時間長情報１０５に従ってピッチ波形１２２が波形重畳されることにより、合成音声１０６が生成される。ピッチ周期・時間長情報１０５によって与えられる時間長は通常、韻律情報の一部として入力される音韻継続時間長情報１０１で与えられる音韻継続時間と同じである。
【００３８】
図６に、ピッチ波形重畳部１４での重畳の様子を示す。図６（ａ）をオリジナルのピッチ波形とすると、ピッチ周期が比較的短い場合にピッチ波形生成部１２から出力されるピッチ波形と、これをピッチ波形重畳部１４でピッチ周期の間隔で時間方向に並べて重畳した波形は図６（ｂ）に示すようになる。一方、ピッチ周期が比較的長い場合にピッチ波形生成部１２から出力されるピッチ波形と、これをピッチ波形重畳部１４で重畳した波形は図６（ｃ）に示すようになる。いずれも場合も、ピッチ・時間長制御部１３によって与えられるピッチ周期に応じた長さのピッチ波形が、ピッチ・時間長制御部１３によって与えられる時間長にわたって重畳されることで、合成音声１０６が生成される。
【００３９】
このようにピッチ波形生成部１２においては、圧縮音声素片辞書１１から出力される符号化代表音声素片のうちの符号化音源信号１１０をピッチ周期に応じた長さだけ復号化し、これと復号化したフィルタ係数を用いて合成フィルタ２３でピッチ波形を生成している。
【００４０】
このため、ピッチ周期が短い場合においてもピッチ波形の重なり度合いが減少し、合成音声１０６の長さの最大２倍の長さに相当するピッチ波形を生成すればよいことになるため、合成フィルタ２３でのフィルタリングに要する演算量や、ピッチ波形重畳部１４での重畳時の演算量を従来の音声合成方法に比べて削減できる。このように演算量が少ないことは、小型の高品質音声合成装置への応用に適している。
【００４１】
また、窓掛け処理部２４によってピッチ波形の不連続性に対して、打ち切られた形のピッチ波形に窓を掛けて減衰させることで、僅かな演算で合成音声１０６の品質劣化を抑制することができる。
【００４２】
本発明は上述した実施形態に限られず、種々変更しての実施が可能である。例えば、上記実施形態ではピッチ波形を分析して得られる音源信号と合成フィルタの特性を表すフィルタ係数の組を圧縮符号化する分析合成符号化方式を用いて圧縮音声素片辞書を構成したが、ピッチ波形をＡＤＰＣＭ（適応差分ＰＣＭ）などの波形符号化方式で符号化した音声素片により圧縮音声素片辞書を構成することも可能である。その場合、ピッチ波形生成部はピッチ波形を波形符号化方式で符号化した符号化代表音声素片を復号化する際に、復号化する長さをピッチ周期の応じて制御する構成とすればよい。
【００４３】
また、上記実施形態では復号化されたピッチ波形の終端を窓掛け処理により減衰させる方法を用いたが、復号化されたピッチ波形の終端に最も近い零交差点より後ろの部分を零とするなどにより終端を減衰させる処理に置き換えることも可能である。
【００４４】
さらに、本発明は(a)符号化音声素片をピッチ周期に応じた長さだけ復号化することと、(b)符号化音声素片を復号化しかつ終端を減衰させることを両方組み合わせる必要は必ずしもなく、特に後者の(b)については単独で実施することも可能である。
【００４５】
また、本発明は上述した音声合成の手順をコンピュータプログラムとして記録した記録媒体として実施することができる。そのような記録媒体の本発明に基づく好ましい態様を示すと、以下のようになる。
【００４６】
（１）コンピュータに音声合成処理を行わせるためのプログラムを記録したコンピュータ読み取り可能な記録媒体であって、圧縮符号化された音声素片群よりなる辞書から合成すべき音声の元となる音声素片を選択し、選択された音声素片を前記合成すべき音声のピッチ周期に応じた長さだけ復号化してピッチ波形を生成し、生成されたピッチ波形を前記ピッチ周期に基づき重畳して合成音声を生成する処理を実行するためのプログラムを記録したコンピュータ読み取り可能な記録媒体。これは本発明に基づいて(a)符号化音声素片をピッチ周期に応じた長さだけ復号化することと、(b)符号化音声素片を復号化しかつ端点における不連続性を低減させる処理を行うことのうち、前者(a)の処理のみをコンピュータに行わせるプログラムを記録した記録媒体である。
【００４７】
（２）コンピュータに音声合成処理を行わせるためのプログラムを記録したコンピュータ読み取り可能な記録媒体であって、圧縮符号化された音声素片群よりなる辞書から合成すべき音声の元となる音声素片を選択し、選択された音声素片を復号化しかつ端点における不連続性を低減させる処理を行うことによりピッチ波形を生成し、生成されたピッチ波形を前記ピッチ周期に基づき重畳して合成音声を生成する処理を実行するためのプログラムを記録したコンピュータ読み取り可能な記録媒体。これは本発明に基づいて (a)符号化音声素片をピッチ周期に応じた長さだけ復号化することと、(b)符号化音声素片を復号化しかつ終端を減衰させることのうち、前者(b)の処理のみをコンピュータに行わせるプログラムを記録した記録媒体である。
【００４８】
（３）コンピュータに音声合成処理を行わせるためのプログラムを記録したコンピュータ読み取り可能な記録媒体であって、圧縮符号化された音声素片群よりなる辞書から合成すべき音声の元となる音声素片を選択し、選択された音声素片を前記合成すべき音声のピッチ周期に応じた長さだけ復号化しかつ端点における不連続性を低減させる処理を行うことによりピッチ波形を生成し、生成されたピッチ波形を前記ピッチ周期に基づき重畳して合成音声を生成する処理を実行するためのプログラムを記録したコンピュータ読み取り可能な記録媒体。これは本発明に基づいて(a)符号化音声素片をピッチ周期に応じた長さだけ復号化することと、(b)符号化音声素片を復号化しかつ端点における不連続性を低減させる処理を行うことの両方の処理をコンピュータに行わせるプログラムを記録した記録媒体である。
【００４９】
【発明の効果】
以上説明したように、本発明によれば音声合成時の演算量を減少させ、かつ合成音声の品質劣化を抑制することができる。
【図面の簡単な説明】
【図１】本発明が適用されるシステムの一例であるテキスト音声合成システムの説明図
【図２】本発明の一実施形態に係る音声合成処理の流れを示すフローチャート
【図３】同実施形態に係る音声合成装置（規則合成系）の構成を示すブロック図
【図４】同実施形態において音源信号波形からピッチ波形が生成される様子を説明する図
【図５】同実施形態における窓掛け処理部で用いる窓関数Ｗ（ｎ）と窓掛け処理の様子を説明する図
【図６】同実施形態におけるピッチ波形の重畳の様子を説明する図
【符号の説明】
１…テキスト解析部
２…韻律制御部
３…音声波形生成部
１０…素片選択部
１１…圧縮音声素片辞書
１２…ピッチ波形生成部
１３…ピッチ・時間長制御部
１４…ピッチ波形重畳部
２０…音源信号復号化部
２１…フィルタ係数復号化部
２２…音源信号長調整部
２３…合成フィルタ
２４…窓掛け処理部
１００…音韻記号列
１０１…音韻継続時間長情報
１０２…ピッチパターン情報
１０３…パワー情報
１０４…ピッチ周期情報
１０５…ピッチ周期・時間長情報
１０６…合成音声
１１０…符号化音源信号
１１１…符号化フィルタ係数
１２０…音源信号
１２１…フィルタ係数
１２２…ピッチ波形
【図１】
0003949346.tif 000003
【図２】
0003949346.tif 000004
【図３】
0003949346.tif 000005
【図４】
0003949346.tif 000006
【図５】
0003949346.tif 000007
【図６】
0003949346.tif 000008